【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】  少なくとも１つの流体チャンバ（９）と、使用の際にライニング手段に剛性を与えるための少なくとも１つの他の手段（２３）とを有する体腔ライニング手段において、
前記ライニング手段に剛性を与えるための少なくとも１つの他の手段（２３）が、他の流体チャンバ（２３）を規定する外翻可能な二重壁部分であることを特徴とするライニング手段。
【請求項２】  前記他の流体チャンバ（２３）が複数のポケット（１５）に分割されている、請求項１に記載のライニング手段。
【請求項３】  前記複数のポケット（１５）は、流体連通しており、流体が一つのポケットから他のポケットへ流れることを許容する、請求項２に記載のライニング手段。
【請求項４】  前記複数のポケット（１５）のそれぞれに異なる流体圧力を付与するための手段が設けられている、請求項２又は請求項３に記載のライニング手段。
【請求項５】  前記ポケット（１５）は、装置の通り抜けを可能とさせるためのバルブ手段（３００）を備える、請求項２から請求項４の何れか一項に記載のライニング手段。
【請求項６】  前記複数のポケット（１５）のそれぞれが前記ライニング手段の長さに沿って長手方向に離間して配置されている、請求項２から請求項５の何れか一項に記載のライニング手段。
【請求項７】  前記二重壁部分（３）が、前記ライニング手段の略半分の長さにわたって延びており、該ライニング手段の残りの長さ部分（１）が一重壁となっている、請求項１から請求項６の何れか一項に記載のライニング手段。
【請求項８】  前記流体チャンバのうちの少なくとも１つ（１５６）が湾曲形態を持つように形成される、請求項１から請求項７の何れか一項に記載のライニング手段。
【請求項９】  前記流体チャンバのうちの少なくとも１つ（１６０）に、湾曲を容易にするように構成された部分が形成されている、請求項１から請求項８の何れか一項に記載のライニング手段。
【請求項１０】  前記ライニング手段が、前記流体チャンバのうちの少なくとも１つ（１７０）に取り付けられており且つ前記ライニング手段から体腔への流体の通過を妨げるように機能可能であるバルブ手段（１７２）を含む、請求項１から請求項９の何れか一項に記載のライニング手段。
【請求項１１】  前記バルブ手段（１７２）が、部材の通り抜けを許容するように機能可能である、請求項１０に記載のライニング手段。
【請求項１２】  前記流体チャンバのうち少なくとも１つ（２３３）が体腔から細菌又はその他の細胞を運ぶように構成されている、請求項１から請求項１１の何れか一項に記載のライニング手段。
【請求項１３】  前記流体チャンバ（９）内の流体圧力を制御して、前記体腔内で前記流体チャンバを外翻させて前進させるようにするための第１の流体制御手段と、前記他の流体チャンバ（２３）内の流体圧力を制御するための第２の流体制御手段とを含む、請求項１から請求項１２の何れか一項に記載のライニング手段。
【請求項１４】  前記ライニング手段は、前記流体チャンバ（９、１１７）が外翻するときに部材（１７）を前記体腔（４）に挿入できるように前記第１の流体制御手段及び前記第２の流体制御手段による流体の付与を制御するための手段を含む、請求項１３に記載のライニング手段。
【請求項１５】  前記第１の流体制御手段及び前記第２の流体制御手段による流体の付与を制御するための前記手段は、前記ライニング手段を通して代わりの器具を挿入することができるように、前記ライニング手段の位置を乱すことなく前記部材（１７）を除去することを可能とさせるよう機能可能である、請求項１４に記載のライニング手段。
【請求項１６】  前記ライニング手段は、外翻前に少なくとも前記流体チャンバ（９、１１７）を収容し且つ外翻の際には前記流体チャンバ（９、１１７）を解放することを許容するためのハウジング（３０、３９、４０、４２、１１６）を含む、請求項１から請求項１５の何れか一項に記載のライニング手段。
【請求項１７】  前記ハウジング（３０、３９、４０、４２、１１６）は、前記ライニング手段が前記体腔から引き抜かれるときにチャンバ材料を収納するための伸長可能なカバー部分（４４、４６）を含む、請求項１６に記載のライニング手段。
【請求項１８】  前記ライニング手段が、前記体腔と摩擦係合するための拡張可能な部分（１４６、１４８）を含む、請求項１から請求項１７の何れか一項に記載のライニング手段。
【請求項１９】  前記拡張可能な部分（１４６）が前記流体チャンバのうちの１つと一体的に形成されている、請求項１８に記載のライニング手段。
【請求項２０】  前記ライニング手段（１５６、１６０）が、予め定められた体腔タイプの湾曲に合致しやすいように構成されている、請求項１から請求項１９の何れか一項に記載のライニング手段。
【請求項２１】  ２つの流体チャンバ（９、２３、１１７、１２９）を有するライニング手段を用意するステップと、前記流体チャンバのうちの第１のチャンバ（９、１１７）に選択的に流体を付与して、体腔（４）内で前記第１のチャンバ（９、１１７）を外翻させて前進させるようにするステップと、前記流体チャンバのうちの第２のチャンバ（２３、１２９）に選択的に流体を付与するステップとを含む、切除済みの又は人工のヒト又は動物の身体部分を含んだヒト以外の動物又は非生命体の体腔（４）にライニングを施す方法であって、
前記第２のチャンバ（２３、１２９）に選択的に流体を付与するステップにより、外翻可能な二重壁部分に流体を付与する、体腔（４）にライニングを施す方法。
【請求項２２】  前記第１のチャンバ（９、１１７）の外翻が前記体腔（４）内で部材（１７）を前進させるように、前記ライニング手段に前記部材（１７）を挿入するステップをさらに含む、請求項２１に記載の方法。
【請求項２３】  前記ライニング手段を通して代わりの器具を挿入することができるように、前記ライニング手段の位置を乱すことなく前記ライニング手段から前記部材（１７）を除去するステップをさらに含む、請求項２１又は請求項２２に記載の方法。
【請求項２４】  前記部材（１７）が前記第１のチャンバ（９）に対する流体圧力を減少させることによって後退させられ、前記第２のチャンバ（２３）内の流体圧力が前記ライニング手段を前記体腔（４）内で所定の位置に保持させながら、前記第１のチャンバ（９）と前記部材（１７）との間の摩擦を減少させるように配置されている、請求項２２又は請求項２３に記載の方法。
【請求項２５】  前記体腔（４）から前記ライニング手段を引き抜くステップと、前記ライニング手段に沈着した物質を分析するステップとをさらに含む、請求項２１から請求項２４の何れか一項に記載の方法。
【請求項２６】  前記第１のチャンバと前記第２のチャンバ（１１７、１２９）の間に変形可能なチューブ（１４２、１５２）が配置される、請求項２１から請求項２５の何れか一項に記載の方法。
【請求項２７】  前記第２のチャンバ（２３、１１７）と前記第１のチャンバ（９、１２９）との間の摩擦を減少させるために、前記第１及び第２のチャンバ（２、２３、１１７、１２９）のうちの１つに流体が付与される、請求項２１から請求項２６の何れか一項に記載の方法。
【請求項２８】  前記第２のチャンバが複数のポケット（１５）に分割され、前記複数のポケットが流体連通しており、前記流体を付与するステップにより、前記複数のポケットに流体を付与し、流体が一つのポケットから他のポケットに流れる、請求項２１から請求項２７の何れか一項に記載の方法。
【手続補正２】
【補正対象書類名】明細書
【補正対象項目名】０１２４
【補正方法】変更
【補正の内容】
【０１２４】
本体２０１の側壁２０７には開口部２２７が形成されており、その周りには外側フランジ２２９が形成されている。フランジ２２９には流体ポート２３１が形成されており、これに対して従来の外部手段（図には示されていない）によって流体が供給される。
【手続補正３】
【補正対象書類名】明細書
【補正対象項目名】０１２５
【補正方法】変更
【補正の内容】
【０１２５】
図１６に示されているように、適切なライナー２３３が軸２１７の周りに巻かれる。ライナー２３３は、その一端２３５が軸２１７に取り付けられる（図２１）。ライナーの他端は、フランジ２２９の内側表面に沿って通り、折り返されて、液密シール２３９によってフランジ２２９の外側表面に固定されている。フランジ２２９は、使用時に患者の肛門２４１に挿入される。